(57)【要約】【課題】簡単かつ素早く、入力したい文字又は記号を検索できる表示装置を提供すること。【解決手段】表示装置１に文字又は記号を入力し、一括表示部１１に表示させる場合には、入力したい文字又は記号が割り当てられたボタン２１〜３０のいずれかを押下し、そのボタンに割り当てられた文字又は記号を入力候補表示部１２に表示させた後に、入力したい文字又は記号をボタン３６ａ〜３６ｅを用いて選択すればよいので、従来のように、入力したい文字又は記号を表示させるためにボタンを何度も押す操作を必要とせず、簡単かつ素早く、入力したい文字又は記号を検索できる。【選択図】図１
2008071073.tif 000002
【特許請求の範囲】
【請求項１】
複数の文字又は記号を記憶する記憶手段と、
その記憶手段に記憶された複数の文字又は記号のうち、少なくとも一つ以上の文字又は記号が各々に割り当てられた複数の入力手段と、
その複数の入力手段のうちの一つの入力手段を選択することにより、その選択された一つの入力手段に割り当てられた文字又は記号を表示する表示手段とを備えた表示装置において、
前記選択された一つの入力手段に割り当てられた文字又は記号のうちの一文字又は一記号を、前記表示手段の所定の位置に配置させると共に、前記選択された一つの入力手段に割り当てられた文字又は記号から前記表示手段の所定の位置に配置された一文字又は一記号を除いた残りの文字又は記号を、前記表示手段の所定の位置に配置された一文字又は一記号の隣接する周囲の位置に一文字ずつ又は一記号ずつ配置する配置手段とを備えていることを特徴とする表示装置。
【請求項２】
前記表示手段の所定の位置に配置される一文字又は一記号を除いた残りの文字又は記号を前記配置手段が配置する位置を、前記表示手段の所定の位置に配置された一文字又は一記号に隣接する周囲の上下左右の各位置にすると共に、前記表示手段の所定の位置に配置された一文字又は一記号を除いた残りの文字又は記号を、一文字ずつ又は一記号ずつ前記上下左右の各位置に配置する周囲配置手段を備えていることを特徴とする請求項１記載の表示装置。
【請求項３】
前記選択された一つの入力手段に割り当てられた文字又は記号のうち、前記表示手段の所定の位置に前記配置手段が配置する一文字又は一記号を、前記選択された一つの入力手段に第一番目に割り当てられた一文字又は一記号に選定する選定手段を備えていることを特徴とする請求項１又は２に記載の表示装置。
【請求項４】
前記選択された一つの入力手段に割り当てられた文字又は記号のうち、前記表示手段の所定の位置の周囲に前記配置手段が配置する前記残りの文字又は記号を、前記選択された一つの入力手段に文字又は記号が割り当てられた順番に一文字ずつ又は一記号ずつ、時計回り又は反時計回りに配置させる順番配置手段を備えていることを特徴とする請求項１から３のいずれかに記載の表示装置。
【請求項５】
前記複数の入力手段の各々に割り当てられた文字又は記号の数は五以下にされていることを特徴とする請求項１から４のいずれかに記載の表示装置。
【請求項６】
前記複数の入力手段の各々に割り当てられた文字は五十音図の異なる各行とされていることを特徴とする請求項１から５のいずれかに記載の表示装置。
【請求項７】
前記複数の入力手段の各々に割り当てられた文字又は記号は、平仮名の清直音と、平仮名の濁音と、平仮名の促音及び拗音と、平仮名の半濁音と、片仮名の清直音と、片仮名の濁音と、片仮名の促音及び拗音と、数字の半角及び英字の小文字並びに記号と、数字の全角及び英字の大文字並びに記号とを有し、前記選択された一つの入力手段に割り当てられた文字又は記号を、前記選択された一つの入力手段を連続して選択する度に、平仮名の清直音と、平仮名の濁音と、平仮名の促音及び拗音と、平仮名の半濁音と、片仮名の清直音と、片仮名の濁音と、片仮名の促音及び拗音と、数字の半角及び英字の小文字並びに記号と、数字の全角及び英字の大文字並びに記号との順に切り換える切換手段を備えていることを特徴とする請求項１から６のいずれかに記載の表示装置。
【請求項８】
前記表示手段の所定の位置は、前記表示手段の入力を確定させたい入力確定位置とは異なる位置に設定されており、
前記配置手段が前記表示手段に配置した複数の文字又は記号から一文字又は一記号を選択する選択手段と、
その選択手段により選択された一文字又は一記号を前記表示手段の入力確定位置に配置すると共に、前記選択手段により選択されなかった文字又は記号を前記表示手段から消去する選択消去手段とを備えていることを特徴とする請求項１から７のいずれかに記載の表示装置。
【発明の詳細な説明】
【技術分野】
【０００１】
本発明は、文字又は記号の選択及び入力を行い、入力された文字又は記号を表示させる表示装置に関し、特に、入力したい文字又は記号を表示させるために入力手段を何度も押す操作を必要とせず、簡単かつ素早く、入力したい文字又は記号を検索できる表示装置に関するものである。
【背景技術】
【０００２】
文字又は記号等の選択及び入力を行い、入力された文字又は記号を表示させる表示装置に関しては、例えば、特許文献１記載の無線通信装置が知られている。この無線通信装置は、文字情報を入力する情報入力モードに切り換えるステップと、入力する情報が仮名文字である仮名文字入力モードと、数字である数字入力モードのいずれかを選択するステップと、選択されたモードに対応して、異なる種類の情報が入力可能なボタンにより情報入力をするステップとを含み、前記情報入力ステップにおいて、仮名文字入力モードの場合には選択したボタンとそのボタンを押した回数により一つの仮名文字を特定するものである。
【０００３】
この無線通信装置によれば、入力状態を数字入力モードと仮名文字入力モードとに区別し、前記モードの各グループに個別的に対応するボタンを入力した回数に対応して、一定の順番で巡回的に前記表示部に入力文字を表示することができる。よって、数が限られたボタンを使用し、同一のボタンで異なる意味の数字、仮名、記号を入力しても、ボタン入力時の誤操作が少なく、迅速、確実、かつ容易に入力することができる。
【特許文献１】特開平０７−２７４２４７号公報
【発明の開示】
【発明が解決しようとする課題】
【０００４】
しかしながら、上述した無線通信装置は、例えば、平仮名の「す」の文字を表示させるときには、「さ行」が割り当てられたボタン部２０の「３」ボタンを３回押すことにより、表示部１５の表示を「さ、し、す」と切り換えた後、初めて「す」の文字を表示させることが可能となる。よって、入力すべき文字を表示させるのに何度もボタン部２０のボタンを押す操作が必要となるという問題点があった。
【０００５】
本発明は、上述した問題点を解決するためになされたものであり、入力したい文字又は記号を表示させるために入力手段を何度も押す操作を必要とせず、簡単かつ素早く、入力したい文字又は記号を検索できる表示装置を提供することを目的としている。
【課題を解決するための手段】
【０００６】
この目的を達成するために請求項１記載の表示装置は、複数の文字又は記号を記憶する記憶手段と、その記憶手段に記憶された複数の文字又は記号のうち、少なくとも一つ以上の文字又は記号が各々に割り当てられた複数の入力手段と、その複数の入力手段のうちの一つの入力手段を選択することにより、その選択された一つの入力手段に割り当てられた文字又は記号を表示する表示手段とを備えるものであり、前記選択された一つの入力手段に割り当てられた文字又は記号のうちの一文字又は一記号を、前記表示手段の所定の位置に配置させると共に、前記選択された一つの入力手段に割り当てられた文字又は記号から前記表示手段の所定の位置に配置された一文字又は一記号を除いた残りの文字又は記号を、前記表示手段の所定の位置に配置された一文字又は一記号の隣接する周囲の位置に一文字ずつ又は一記号ずつ配置する配置手段とを備えている。
【０００７】
請求項２記載の表示装置は、請求項１記載の表示装置において、前記表示手段の所定の位置に配置される一文字又は一記号を除いた残りの文字又は記号を前記配置手段が配置する位置を、前記表示手段の所定の位置に配置された一文字又は一記号に隣接する周囲の上下左右の各位置にすると共に、前記表示手段の所定の位置に配置された一文字又は一記号を除いた残りの文字又は記号を、一文字ずつ又は一記号ずつ前記上下左右の各位置に配置する周囲配置手段を備えている。
【０００８】
請求項３記載の表示装置は、請求項１又は２に記載の表示装置において、前記選択された一つの入力手段に割り当てられた文字又は記号のうち、前記表示手段の所定の位置に前記配置手段が配置する一文字又は一記号を、前記選択された一つの入力手段に第一番目に割り当てられた一文字又は一記号に選定する選定手段を備えている。
【０００９】
請求項４記載の表示装置は、請求項１から３のいずれかに記載の表示装置において、前記選択された一つの入力手段に割り当てられた文字又は記号のうち、前記表示手段の所定の位置の周囲に前記配置手段が配置する前記残りの文字又は記号を、前記選択された一つの入力手段に文字又は記号が割り当てられた順番に一文字ずつ又は一記号ずつ、時計回り又は反時計回りに配置させる順番配置手段を備えている。
【００１０】
請求項５記載の表示装置は、請求項１から４のいずれかに記載の表示装置において、前記複数の入力手段の各々に割り当てられた文字又は記号の数は五以下にされている。
【００１１】
請求項６記載の表示装置は、請求項１から５のいずれかに記載の表示装置において、前記複数の入力手段の各々に割り当てられた文字は五十音図の異なる各行とされている。
【００１２】
請求項７記載の表示装置は、請求項１から６のいずれかに記載の表示装置において、前記複数の入力手段の各々に割り当てられた文字又は記号は、平仮名の清直音と、平仮名の濁音と、平仮名の促音及び拗音と、平仮名の半濁音と、片仮名の清直音と、片仮名の濁音と、片仮名の促音及び拗音と、数字の半角及び英字の小文字並びに記号と、数字の全角及び英字の大文字並びに記号とを有し、前記選択された一つの入力手段に割り当てられた文字又は記号を、前記選択された一つの入力手段を連続して選択する度に、平仮名の清直音と、平仮名の濁音と、平仮名の促音及び拗音と、平仮名の半濁音と、片仮名の清直音と、片仮名の濁音と、片仮名の促音及び拗音と、数字の半角及び英字の小文字並びに記号と、数字の全角及び英字の大文字並びに記号との順に切り換える切換手段を備えている。
【００１３】
請求項８記載の表示装置は、請求項１から７のいずれかに記載の表示装置において、前記表示手段の所定の位置は、前記表示手段の入力を確定させたい入力確定位置とは異なる位置に設定されており、前記配置手段が前記表示手段に配置した複数の文字又は記号から一文字又は一記号を選択する選択手段と、その選択手段により選択された一文字又は一記号を前記表示手段の入力確定位置に配置すると共に、前記選択手段により選択されなかった文字又は記号を前記表示手段から消去する選択消去手段とを備えている。
【発明の効果】
【００１４】
本発明の表示装置によれば、複数の入力手段のうち、入力したい文字又は記号が割り当てられた入力手段を一回選択すると、その入力手段に割り当てられた文字又は記号のうちの一文字又は一記号が、表示手段の所定の位置に表示される。同時に、所定の位置に表示された一文字又は一記号を除くその入力手段に割り当てられた残りの文字又は記号が、表示手段の所定の位置に表示された一文字又は一記号の隣接する周囲の位置に表示される。よって、入力手段に割り当てられた文字又は記号を一回の選択で複数表示することができるので、従来のように、入力したい文字又は記号を表示させるために入力手段を何度も押す操作を必要とせず、簡単かつ素早く、入力したい文字又は記号を検索できるという効果がある。
【発明を実施するための最良の形態】
【００１５】
以下、本発明の好ましい実施の形態について添付図面を参照して説明する。図１は、本発明の一実施の形態における表示装置１の正面を示した図である。
【００１６】
まず、図１を参照して表示装置１について説明する。表示装置１は、表示ディスプレイ部１０と入力ボタン部２０と主に備え、入力ボタン部２０に配置された各ボタン２１〜３０を押下することによって、この各ボタン２１〜３０に割り当てられた文字又は記号を表示ディスプレイ１０に表示することができるように構成されている。なお、文字とは、平仮名、片仮名、英字、数字を示している。
【００１７】
表示ディスプレイ部１０は、入力ボタン部２０の各ボタン２１〜３０に割り当てられた文字又は記号を表示するための部品であり、図１に示すように、入力ボタン部２０の各ボタン２１〜３０の押下によって入力される文字又は記号が表示される一括表示部１１と、入力ボタン部２０の各ボタン２１〜３０の押下によって一括表示部１１に表示される文字又は記号の種別（以後、文字・記号種別とする）の設定が表示される文字・記号種別表示部１６とを備える。
【００１８】
一括表示部１１は、図１に示すように、入力ボタン部２０の各ボタン２１〜３０を押下すると、その各ボタン２１〜３０に割り当てられた文字又は記号が表示される入力候補表示部１２と、入力候補表示部１２に表示された文字又は記号を選択することにより、入力が確定した文字又は記号が表示される入力確定表示部１４と、入力が確定した文字又は記号を、例えば漢字に変換した後の文字又は記号が表示される入力決定表示部１５とを備える。
【００１９】
なお、入力候補表示部１２と、入力確定表示部１４と、入力決定表示部１５とのそれぞれの位置やそれぞれが表示する長さは、表示ディスプレイ１０に表示させる文字又は記号によって変化する。
【００２０】
入力候補表示部１２は、図１に示すように、入力ボタン部２０の各ボタン２１〜３０のいずれか一つが押下されると、押下されたボタンに割り当てられた文字又は記号のうちの一文字又は一記号を入力候補表示部１２の中心に配置するための中央配置部１３ｅと、押下されたボタンに割り当てられた文字又は記号から中央配置部１３ｅに配置した一文字又は一記号を除いた残りの文字又は記号を一文字ずつ又は一記号ずつ配置するための、中央配置部１３ｅの隣接する上に配置される上部配置部１３ａと、中央配置部１３ｅの隣接する右に配置される右部配置部１３ｂと、中央配置部１３ｅの隣接する下に配置される下部配置部１３ｃと、中央配置部１３ｅの隣接する左に配置される左部配置部１３ｄとを備える。
【００２１】
入力ボタン部２０は、各ボタン２１〜３０に割り当てられた文字又は記号を表示ディスプレイ１０に表示させるための入力部品であり、図１に示すように、文字又は記号が割り当てられたボタン２１〜３０と、入力候補表示部１２に表示された一文字又は一記号を選択することにより、選択された一文字又は一記号の入力を確定させる入力確定部３６ａ〜３６ｅとを主に備える。
【００２２】
入力ボタン部２０の各ボタン２１〜３０のいずれか一つが押下されると、各ボタン２１〜３０に割り当てられた文字又は記号が表示ディスプレイ１０の入力候補表示部１２に表示され、各ボタン３６ａ〜３６ｅのいずれか一つが押下されると、この入力候補表示部１２に表示された文字又は記号のうち一文字又は一記号が選択されることによって、選択された一文字又は一記号の入力が確定し、入力確定表示部１４に表示される。
【００２３】
入力ボタン部２０は、更に、図１に示すように、入力候補表示部１２に表示される文字を小文字や大文字に切り換える機能と入力候補表示部１２に表示される平仮名及び片仮名を濁音に切り換える機能とを備えるボタン３１と、表示ディスプレイ１０に表示される文字又は記号の改行を行うボタン３２と、入力ボタン部２０の各ボタン２１〜３０を押下すると文字・記号種別を切り換えるボタン３３（以後、文字ボタン３３とする）と、入力が確定した文字又は記号を、例えば漢字に変換するボタン３４と、表示ディスプレイ１０の一括表示部１１に表示された文字又は記号を消去するボタン３５とを備える。
【００２４】
ここで、文字ボタン３３を押下すると、入力ボタン部２０の各ボタン２１〜３０の押下により文字・記号種別の設定が平仮名、片仮名、英数字・記号の３種別に切り換わる。これにより、各ボタン２１〜３０を押下して一括表示部１１に表示させる文字又は記号を切り換えることができる。
【００２５】
次いで、図２を参照して、表示装置１の電気的構成について説明する。図２は、表示装置１の電気的構成を示したブロック図である。ここで、図２の説明においては、図３〜５を適宜参照して説明する。図３は、入力ボタン部２０の各ボタン２１〜３０（図１参照）に割り当てられた文字又は記号を割り当てられた順番毎及び文字・記号種別毎に、示した図である。図４は、入力ボタン部２０のボタン２１及びボタン２４が、それぞれ連続で押下された場合に、入力候補表示部１２に表示される文字又は記号を、文字・記号種別毎に示した図である。図５は、入力ボタン部２０の各ボタン２１〜３０に割り当てられた文字又は記号が入力候補表示部１２に表示された場合の一覧を示した図である。
【００２６】
コントロールユニット４０は、表示装置１の各部を制御するための制御装置であり、図２に示すようにＣＰＵ４１、ＲＯＭ４２、ＲＡＭ４３、ＥＥＰＲＯＭ４４を備え、これらはバスライン４５を介して入出力ポート４５に接続されている。また、入出力ポート４５には、表示ディスプレイ１０と入力ボタン部２０とが接続されている。
【００２７】
ＣＰＵ４１は、バスライン４６により接続された各部を制御する演算装置である。ＲＯＭ４２は、ＣＰＵ４１により実行される制御プログラム（例えば、図６〜図９に示す処理のフローチャート）や各ボタン２１〜３０（図１参照）に割り当てられる文字又は記号を格納した書き換え不能な不揮発性のメモリであり、ＲＡＭ４３は、制御プログラムの実行時に後述する文字記号種別カウンタ４３ａやボタンデータメモリ４３ｂを書き換え可能に記憶するためのメモリであり、ＥＥＰＲＯＭ４４は、表示装置１の電源をオフしたときの状態を記録するための書き換え可能な不揮発性のメモリである。
【００２８】
ＲＯＭ４２には、各ボタン２１〜３０（図１参照）に割り当てるための平仮名の清直音、平仮名の濁音、平仮名の促音と拗音、平仮名の半濁音、片仮名の清直音、片仮名の濁音、片仮名の促音と拗音、片仮名の半濁音、数字の半角・英字の小文字・記号、数字の全角・英字の大文字・記号、の１０種類のデータが格納されている。ここで、数字の半角・英字の小文字・記号とは、数字の半角と英字の小文字と記号とが組み合わされたデータであり、数字の全角・英字の大文字・記号とは、数字の全角と英字の大文字と記号とが組み合わされたデータである。
【００２９】
この１０種類のデータは、図３に示すように１種類毎に、入力ボタン部２０の各ボタン２１〜３０（図１参照）に割り当てられる。そして、各ボタン２１〜３０に割り当てられた文字又は記号は、入力候補表示部１２の各配置部１３ａ〜１３ｅに配置する位置を決定するために、図３に示すように、一文字ずつ又は一記号ずつ第一番目から第五番目まで順番が割り当てられる。ただし、割り当てられる一文字又は一記号の数が４以下の場合は、順番を割り当てることができる分だけに順番が割り当てられる。
【００３０】
また、１０種類のデータは、文字・記号種別毎に分類されており、平仮名の文字・記号種別には、平仮名の清直音と平仮名の濁音と平仮名の促音及び拗音と平仮名の半濁音との４種類が分類され、片仮名の文字・記号種別には、片仮名の清直音と片仮名の濁音と片仮名の促音及び拗音と片仮名の半濁音との４種類が分類され、英数字・記号の文字・記号種別には、数字の半角・英字の小文字・記号と数字の全角・英字の大文字・記号との２種類が分類されている。
【００３１】
そして、入力ボタン部２０の各ボタン２１〜３０（図１参照）に割り当てられた１種類毎のデータは、各ボタン２１〜３０を連続押下したときに入力候補表示部１２に表示される文字又は記号を切り換えるために、図３に示すように、平仮名の文字・記号種別の場合は平仮名の清直音と平仮名の濁音と平仮名の促音及び拗音と平仮名の半濁音との順番で、片仮名の文字・記号種別の場合は片仮名の清直音と片仮名の濁音と片仮名の促音及び拗音と片仮名の半濁音との順番で、英数字・記号の文字・記号種別の場合は数字の半角・英字の小文字・記号と数字の全角・英字の大文字・記号との順番で、各ボタン２１〜３０に割り当てられる。
【００３２】
例えば、図３に示すように、入力ボタン部２０のボタン２１（図１参照）には「あ」が記載されているので、１０種類のデータのうちの平仮名の清直音を用いて、平仮名「あ行」の清直音である「あ、い、う、え、お」のうち、「あ」をボタン２１の第一番目に、「い」をボタン２１の第二番目に、「う」をボタン２１の第三番目に、「え」をボタン２１の第四番目に、「お」をボタン２１の第五番目に割り当てる。
【００３３】
また、図３に示すように、１０種類のデータのうちの平仮名の拗音を用いて、平仮名「あ行」の拗音である「ぁ、ぃ、ぅ、ぇ、ぉ」のうち、「ぁ」をボタン２１の第一番目に、「ぃ」をボタン２１の第二番目に、「ぅ」をボタン２１の第三番目に、「ぇ」をボタン２１の第四番目に、「ぇ」をボタン２１の第五番目に割り当てる。なお、平仮名「あ行」には、平仮名の濁音及び平仮名の半濁音は存在しないので、平仮名の濁音及び平仮名の半濁音はボタン２１には割り当てられていない。
【００３４】
そして、入力ボタン部２０のボタン２１に割り当てられた平仮名「あ行」の各清直音及び各濁音は、図３に示すように、平仮名の文字・記号種別毎、即ち、平仮名の清直音と平仮名の拗音とに分類される。更に、入力ボタン部２０のボタン２１に割り当てられた平仮名「あ行」の各清直音及び各濁音は、図３に示すように、平仮名の清直音、平仮名の濁音の順番で、ボタン２１に割り当てられる。
【００３５】
ただし、１０種類のデータのうち、数字の半角・英字の小文字・記号を用いた場合については、図３に示すように、入力ボタン部２０のボタン２１（図１参照）には半角数字「1」と記号「。，＠」とが記載されており、割り当てられる一文字又は一記号の数が３であるので、「1，。，＠」のうち、「1」をボタン２１の第一番目に、「。」をボタン２１の第二番目に、「＠」をボタン２１の第三番目に割り当て、ボタン２１の第四番目及び第五番目には何も割り当てられない。１０種類のデータのうち、数字の全角・英字の大文字・記号を用いた場合についても同様である。
【００３６】
また、図３に示すように、１０種類のデータのうち、片仮名の清直音、片仮名の濁音、片仮名の促音と拗音、片仮名の半濁音、数字の半角・英字の小文字・記号、数字の全角・英字の大文字・記号も、平仮名と同様に入力ボタン部２０の各ボタン２１〜３０に割り当てられる。
【００３７】
図４（ａ）には、文字・記号種別が平仮名に設定されている場合に、ボタン２１を一回押下した場合と、連続で二回押下した場合の入力候補表示部１２の表示が図示されている。
【００３８】
ボタン２１を一回押下すると、第一番目にボタン２１に割り当てられた「あ行」の平仮名の清直音である「あ」が中央配置部１３ｅに、第二番目にボタン２１に割り当てられた「い」が上部配置部１３ａに、第三番目にボタン２１に割り当てられた「う」が右部配置部１３ｂに、第四番目にボタン２１に割り当てられた「え」が下部配置部１３ｃに、第五番目にボタン２１に割り当てられた「お」が左部配置部１３ｄにそれぞれ表示される。
【００３９】
ボタン２１を連続して二回押下すると、第一番目にボタン２１に割り当てられた「あ行」の平仮名の拗音である「ぁ」が中央配置部１３ｅに、第二番目にボタン２１に割り当てられた「ぃ」が上部配置部１３ａに、第三番目にボタン２１に割り当てられた「ぅ」が右部配置部１３ｂに、第四番目にボタン２１に割り当てられた「ぇ」が下部配置部１３ｃに、第五番目にボタン２１に割り当てられた「ぉ」が左部配置部１３ｄにそれぞれ表示される。
【００４０】
図４（ｃ）には、文字・記号種別が片仮名に設定されている場合に、ボタン２１を一回押下した場合と、連続で二回押下した場合の入力候補表示部１２の表示が図示されており、図４（ｅ）には、文字・記号種別が英数字・記号に設定されている場合に、ボタン２１を一回押下した場合と、連続で二回押下した場合の入力候補表示部１２の表示がそれぞれ図示されている。
【００４１】
図４（ｂ）及び図４（ｄ）並びに図４（ｆ）については、図４（ａ）及び図４（ｃ）並びに図４（ｅ）と同じように、ボタン２４を連続で押下した回数により、入力候補表示部１２に表示される文字又は記号が切り換わる。なお、ボタン２４には、文字・記号種別が平仮名及び片仮名に設定されている場合には、平仮名及び片仮名の清直音と、平仮名及び片仮名の濁音と、平仮名及び片仮名の促音、が割り当てられているので、図４（ｂ）及び図４（ｄ）については、連続で三回押下した場合までの入力候補表示部１２の表示が図示されている。
【００４２】
このように、図４に示すように、各ボタン２１〜３０のうちのいずれか一つの同じボタンを連続で押下することにより、文字・記号種別が平仮名に設定されている場合には、その押下したボタンに割り当てられた平仮名が、清直音、濁音、促音と拗音、半濁音の順で切り換わる。同様に、各ボタン２１〜３０のうちのいずれか一つの同じボタンを連続で押下することにより、文字・記号種別が片仮名に設定されている場合には、その押下したボタンに割り当てられた片仮名がボタンを押下する度に、清直音、濁音、促音と拗音、半濁音の順で切り換わる。更に、各ボタン２１〜３０のうちのいずれか一つの同じボタンを連続で押下することにより、文字・記号種別が英数字・記号に設定されている場合には、その押下したボタンに割り当てられた英字と数字と記号とがボタンを押下する度に、数字の半角・英字の小文字・記号、数字の全角・英字の大文字・記号の順で切り換わる。
【００４３】
ここで、図４（ａ）に示すように、文字・記号種別が平仮名に設定されている場合に、ボタン２１を連続で三回押下すると、ボタン２１には入力候補表示部１２に新たに表示する平仮名は割り当てられていないので、文字・記号種別が片仮名に設定される。そして、入力候補表示部１２の表示は、図４（ｃ）に示すように、文字・記号種別が平仮名に設定されている場合にボタン２１を一回押下した場合と同じとなる。
【００４４】
また、文字・記号種別が片仮名に設定されている場合に、ボタン２１を連続で三回押下すると、ボタン２１には入力候補表示部１２に新たに表示する片仮名は割り当てられていないので、文字・記号種別が英数字・記号に設定される。そして、入力候補表示部１２の表示は、図４（ｅ）に示すように、文字・記号種別が英数字・記号に設定されている場合にボタン２１を一回押下した場合と同じとなる。
【００４５】
即ち、ボタン２１を連続で押下した場合に、入力候補表示部１２に新たに表示する文字又は記号がボタン２１に割り当てられていない場合は、文字・記号種別を変更し、変更した文字・記号種別を用いて、ボタン２１に割り当てられた文字又は記号を入力候補表示部１２に表示する。
【００４６】
同様に、図４（ｂ）及び図４（ｄ）並びに図４（ｆ）に示すように、ボタン２４を連続で押下した場合に、入力候補表示部１２に新たに表示する文字又は記号がボタン２４に割り当てられていない場合は、文字・記号種別を変更し、変更した文字・記号種別を用いて、ボタン２４に割り当てられた文字又は記号を入力候補表示部１２に表示する。
【００４７】
よって、文字・記号種別の変更は、ボタン３３を押下することに加え、各ボタン２１〜３０の連続押下によっても可能である。
【００４８】
図５には、入力ボタン部２０の各ボタン２１〜３０（図１参照）に割り当てられた文字又は記号が入力候補表示部１２に表示された場合の一覧が示されている。各ボタン２１〜３０には、図５に示すように、平仮名の清直音、平仮名の濁音、平仮名の促音と拗音、平仮名の半濁音、片仮名の清直音、片仮名の濁音、片仮名の促音と拗音、片仮名の半濁音、数字の半角・英字の小文字・記号、数字の全角・英字の大文字・記号が割り当てられ、入力候補表示部１２に表示される。
【００４９】
ただし、各ボタン２１〜３０（図１参照）のそれぞれにおいて、第一番目〜第五番目の順番の全てに文字又は記号が割り当てられていない場合は、各ボタン２１〜３０の文字又は記号が割り当てられていない順番に対応する配置部１３ａ〜１３ｄには何も表示されていない。
【００５０】
例えば、ボタン２１には、「1」をボタン２１の第一番目に、「。」をボタン２１の第二番目に、「＠」をボタン２１の第三番目に割り当て、ボタン２１の第四番目及び第五番目には何も割り当てられていないので、図５に示すように、ボタン２１の第四番目及び第五番目に対応する下部配置部１３ｃ及び左部配置部１３ｄには何も表示されていない。
【００５１】
図２の説明に戻る。ＲＡＭ４３は、各ボタン２１〜３０の押下により、一括表示部１１に表示される文字又は記号を切り換えるための文字・記号種別の設定に用いる文字・記号種別カウンタ４３ａと、入力ボタン部２０の各ボタン２１〜３５及び３６ａ〜３６ｅ（図１参照）のいずれかのボタンが押下されたときに、いずれのボタンが押下されたかを記憶するボタンデータメモリ４３ｂとが設けられている。
【００５２】
文字・記号種別カウンタ４３ａの値により、文字・記号種別を平仮名又は片仮名若しくは英数字・記号に設定する。また、ボタンデータメモリ４３ｂは、後述する処理（図６〜図９参照）に用いられる。
【００５３】
次いで、図６〜図９を参照して、コントロールユニット４０で実行される処理について説明する。図６は、定期的に行われる割り込み処理を示すフローチャートである。図７は、押下されたボタンによって処理を換えるための入力処理を示すフローチャートである。図８は、文字・記号種別を切り換えるための文字・記号種別処理を示すフローチャートである。図９は、押下されたボタンに割り当てられた文字又は記号を表示させるための表示処理を示すフローチャートである。
【００５４】
表示装置１が、例えば電子メールを作成する際に、文字等を入力するための入力画面に設定されると、ＥＥＰＲＯＭ４４に記憶された電源をオフしたときの状態の文字・記号種別データ４３ａがＣＰＵ４１によって読み出され、ＣＰＵ４１はその読み出された文字・記号種別データ４３ａを用いて文字・記号種別を設定すると共に、設定した文字・記号種別を文字・記号種別表示部１６に表示させる。
【００５５】
次いで、図６に示す割り込み処理が、入力画面に設定されている間、ＣＰＵ４１によって繰り返し（例えば、０．２ｍｓ間隔で）実行される。この割り込み処理は、入力ボタン部２０の各ボタン２１〜３５及び３６ａ〜３６ｄ（図１参照）が新たに押下されたか否かを判断し、新たにボタンが押下されたと判断されたときに、いずれのボタンが押下されたかを示すボタンデータをボタンデータメモリ４３ｂへ書き込むための処理である。
【００５６】
割り込み処理においては、図６に示すように、入力ボタン部２０の各ボタン２１〜３５及び３６ａ〜３６ｄ（図１参照）が新たに押下されたか否かが判断される（Ｓ１）。その結果、新たなボタンが押下されたと判断された場合には（Ｓ１：Ｙｅｓ）、各ボタン２１〜３５及び３６ａ〜３６ｄのいずれかのボタンの押下があったということなので、Ｓ２の処理に移行する。Ｓ２の処理においては、新たに押下されたボタンのボタンデータをボタンデータメモリ４３ｂへ書き込み、この割り込み処理を終了する（Ｓ２）。
【００５７】
一方、Ｓ１の処理において、新たなボタンが押下されていないと判断された場合には（Ｓ１：Ｎｏ）、何らのボタンの押下もないということであるので、この割り込み処理を終了する（Ｓ１）。
【００５８】
図７に示す入力処理は、入力画面に設定され、ボタンデータメモリ４３ｂへボタンデータが書き込まれると実行される処理であり、書き込まれたボタンデータを用いて、入力された文字又は記号を入力候補表示部１２に表示させることに加え、入力候補表示部１２に表示させる文字又は記号を切り換えさせるための処理である。
【００５９】
入力処理においては、図７に示すように、ボタンデータメモリ４３ｂに新たなボタンデータがあるか否かが判断される（Ｓ１１）。その結果、新たなボタンデータがあると判断された場合には（Ｓ１１：Ｙｅｓ）、各ボタン２１〜３５及び３６ａ〜３６ｄのいずれかのボタンの押下があったということなので、Ｓ１２以降の処理に移行する。一方、Ｓ１１の処理において、新たなボタンデータがないと判断された場合には（Ｓ１１：Ｎｏ）、何らのボタンの押下もないということであるので、この入力処理を終了する（Ｓ１１）。
【００６０】
Ｓ１２の処理においては、新たなボタンデータは文字ボタン３３か否か、即ち、文字・記号種別の切り換えか否かが判断される（Ｓ１２）。その結果、新たなボタンデータは文字ボタン３３であると判断された場合には（Ｓ１２：Ｙｅｓ）、Ｓ１３に移行し、文字・記号種別を切り換えるための文字・記号種別処理（Ｓ１３）が実行される。
【００６１】
文字・記号種別処理は、文字・記号種別を切り換えるための処理であり、図８に示すように、文字記号種別カウンタ４３ａを用いて、文字・記号種別を設定する。ここで、文字・記号種別カウンタ４３ａの値が０のときは文字・記号種別が平仮名に設定され、文字・記号種別カウンタ４３ａの値が１のときは文字・記号種別が片仮名に設定され、文字・記号種別カウンタ４３ａの値が２のときは文字・記号種別が英数字・記号に設定される。
【００６２】
文字・記号種別処理においては、図８に示すように、文字・記号種別カウンタ４３ａの値を＋１し、Ｓ２２以降の処理に移行する（Ｓ２１）。
【００６３】
Ｓ２２の処理においては、文字・記号種別カウンタ４３ａの値が３以上であるか否かが判断される（Ｓ２２）。この結果、文字・記号種別カウンタ４３ａの値が３以上であると判断された場合は（Ｓ２２：Ｙｅｓ）、Ｓ２３の処理に移行し、文字・記号種別カウンタ４３ａの値を０にする（Ｓ２３）。その後、Ｓ２４の処理に移行する。
【００６４】
一方、Ｓ２２の処理において、文字・記号種別カウンタ４３ａの値が３以上でない、即ち、文字・記号種別カウンタ４３ａの値が２以下である場合は（Ｓ２３：Ｎｏ）、Ｓ２４の処理に移行する。
【００６５】
Ｓ２４の処理においては、文字・記号種別カウンタ４３ａの値に対応する文字・記号種別を設定し（Ｓ２４）、この文字・記号種別処理を終了する。この文字・記号種別処理によって、各ボタン２１〜３０（図１参照）の押下により入力候補表示部１２に表示される文字又は記号を切り換えるための文字・記号種別の設定が完了する。
【００６６】
Ｓ１２の説明に戻る。Ｓ１２の処理において、新たなボタンデータは文字ボタン３３でないと判断された場合には（Ｓ１２：Ｎｏ）、文字又は記号の入力である可能性があるので、Ｓ１４以降の処理に移行する。
【００６７】
Ｓ１４の処理においては、新たなボタンデータは、ボタン２１〜３０（図１参照）のいずれか否かが判断される（Ｓ１４）。この結果、新たなボタンデータは、ボタン２１〜３０のいずれかであると判断された場合は（Ｓ１４：Ｙｅｓ）、Ｓ１５に移行し、文字・記号を一括表示部１１に表示するための表示処理（Ｓ１５）が実行される。
【００６８】
表示処理は、入力ボタン部２０の各ボタン２１〜３０（図１参照）に割り当てられた文字又は記号を一括表示部１１に表示させるための処理であり、図９に示すように、ボタンデータメモリ４３ｂに書き込まれたボタンデータを用いて、入力された文字又は記号を入力候補表示部１２に表示させることに加え、入力候補表示部１２に表示された文字又は記号から一文字又は一記号を選択し、入力確定表示部１４に入力確定表示させるための処理である。
【００６９】
表示処理においては、図９に示すように、ｎの値を１に設定し、Ｓ３２以降の処理に移行する（Ｓ３１）。Ｓ３２の処理においては、ボタンデータメモリ４３ｂの新たなボタンデータを用いて、新たなボタンデータに対応するボタンのｎ回目押下の第一番目に割り当てられた文字を入力候補部１２の中央配置部１３ｅに、第二番目に割り当てられた文字又は記号を入力候補部１２の上部配置部１３ａに、第三番目に割り当てられた文字又は記号を入力候補部１２の右部配置部１３ｂに、第四番目に割り当てられた文字又は記号を入力候補部１２の下部配置部１３ｃに、第五番目に割り当てられた文字又は記号を入力候補部１２の左部配置部１３ｄに、それぞれ表示させ、Ｓ３３以降の処理に移行する（Ｓ３２）。
【００７０】
このＳ３２の処理により、第二番目から第五番目にボタンに割り当てられた文字又は記号は、時計回りに配置される。なお、第二番目から第五番目にボタンに割り当てられた文字又は記号の配置は、反時計回りにしてもよい。
【００７１】
Ｓ３３の処理においては、ボタンデータメモリ４３ｂのボタンデータが更新されたか否か、即ち、新たなボタンが押下されたか否かが判断される（Ｓ３３）。その結果、新たなボタンが押下されたと判断された場合には（Ｓ３３：Ｙｅｓ）、各ボタン２１〜３５及び３６ａ〜３６ｄ（図１参照）のいずれかのボタンの押下があったということなので、Ｓ３４以降の処理に移行する。一方、Ｓ３３の処理において、新たなボタンが押下されていない場合は（Ｓ３３：Ｎｏ）、何らのボタンの押下もないということであるので、Ｓ３２の処理に移行し、Ｓ３２の表示を継続させる。
【００７２】
Ｓ３４の処理においては、ボタンデータメモリ４３ｂの新たなボタンデータを読み込む（Ｓ３４）。読み込んだ新たなボタンデータは、Ｓ３５以降の処理に用いられる。
【００７３】
Ｓ３５の処理においては、新たなボタンデータは、ボタン２１〜３０のいずれか否か、即ち、文字又は記号入力があったか否かが判断される（Ｓ３５）。この結果、新たなボタンデータは、ボタン２１〜３０のいずれかであると判断された場合は（Ｓ３５：Ｙｅｓ）、文字又は記号の入力があったということであるので、Ｓ３６以降の処理に移行する。
【００７４】
Ｓ３６の処理においては、ボタンデータメモリ４３ｂのボタンデータを用いて、新たなボタンデータと、その一つ前、即ち、前回のボタンデータとが同一であるか否かが判断される（Ｓ３６）。即ち、ここでは、同じボタンが二度連続して押下されたか否かが判断される（Ｓ３６）。
【００７５】
その結果、新たなボタンデータが前回のボタンデータと同一でないと判断される場合には（Ｓ３６：Ｎｏ）、前回押下されたボタンによって入力候補表示部１２に表示されている文字又は記号とは別の文字又は記号の入力であるということなので、Ｓ３２の処理に戻り、前回のボタンデータに対応するボタンに割り当てられた文字又は記号に代え、新たなボタンデータに対応するボタンに割り当てられた文字又は記号を入力候補表示部１２に表示させる（Ｓ３２）。
【００７６】
一方、Ｓ３６の処理において、新たなボタンデータが前回のボタンデータと同一であると判断される場合には（Ｓ３６：Ｙｅｓ）、入力候補部１２に表示される文字又は記号を別の表示（例えば、平仮名の清直音から平仮名の濁音）へ切り換えたいということなので、この切り換え処理を実行するＳ３７以降の処理に移行する。
【００７７】
Ｓ３７の処理においては、ｎの値を＋１し、Ｓ３８の処理に移行する（Ｓ３７）。Ｓ３８の処理においては、新たなボタンデータに対応するボタンに割り当てられたｎ＋１押下目の第一番目の文字のうち、中央配置部１３ｅに新たに表示する文字はあるか否か、即ち、現在の文字・記号種別の設定において、新たなボタンデータに対応するボタンに割り当てられたｎ＋１押下目の第一番目の文字があるか否かが判断される（Ｓ３８）。
【００７８】
この結果、現在の文字・記号種別の設定において、新たなボタンデータに対応するボタンに割り当てられたｎ＋１押下目の第一番目の文字があると判断された場合は（Ｓ３８：Ｙｅｓ）、Ｓ３２の処理に戻り、入力候補部１２に表示される文字又は記号に代え、別の表示（例えば、平仮名の清直音から平仮名の濁音）へ切り換え、新たなボタンデータに対応するボタンに割り当てられた文字又は記号を入力候補表示部１２に表示させる（Ｓ３２）。
【００７９】
例えば、図４（ｂ）に示すように、現在の文字・記号種別が平仮名に設定されている場合に、ボタン２４を連続で二回押下すると、ボタン２４に割り当てられた二回押下目の第一番目の文字があると判断され（Ｓ３８：Ｙｅｓ）、Ｓ３２の処理に戻り、入力候補部１２に表示される図４（ｂ）一回押下に代え、別の表示である図４（ｂ）二回押下を入力候補表示部１２に表示させる（Ｓ３２）。
【００８０】
一方、Ｓ３８の処理において、現在の文字・記号種別の設定において、新たなボタンデータに対応するボタンに割り当てられたｎ＋１押下目の第一番目の文字がないと判断された場合は（Ｓ３８：Ｎｏ）、現在の文字・記号種別の設定を変更するために、Ｓ３９の処理に移行し、文字・記号種別処理が実行される（Ｓ３９）。文字・記号種別処理において、文字・記号種別の設定が変更されると（Ｓ３９）、Ｓ３１の処理に戻り、Ｓ３１の処理後にＳ３２の処理へ移行し、入力候補部１２に表示される文字又は記号に代え、変更された文字・記号種別を用いて、新たなボタンデータに対応するボタンに割り当てられた文字又は記号を入力候補表示部１２に表示させる（Ｓ３２）。
【００８１】
例えば、図４（ｂ）に示すように、現在の文字・記号種別が平仮名に設定されている場合に、ボタン２４を連続で四回押下すると、Ｓ３８の処理において、ボタン２４に割り当てられた４回押下目の第一番目の文字がないと判断され（Ｓ３８：Ｎｏ）、Ｓ３９の文字・記号種別処理に移行する。Ｓ３９の処理によって文字・記号種別が片仮名に設定が変更されると、Ｓ３１の処理に戻り、Ｓ３１の処理後にＳ３２の処理へ移行し、変更された片仮名の文字・記号種別を用いて、入力候補表示部１２には、図４（ｄ）の一回押下が表示される（Ｓ３２）。
【００８２】
Ｓ３５の説明に戻る。Ｓ３５の処理において、新たなボタンデータは、ボタン２１〜３０のいずれかでないと判断された場合は（Ｓ３５：Ｎｏ）、入力候補表示部１２に表示された文字又は記号を選択すると共に、入力確定するためのボタン３６ａ〜３６ｅが押下されたことが考えられるので、Ｓ４０以降の処理に移行する。
【００８３】
Ｓ４０の処理においては、新たなボタンデータは、ボタン３６ａ〜３６ｅ（図１参照）のボタンであるか否か、即ち、入力確定か否かを判断する（Ｓ４０）。その結果、新たなボタンデータは、ボタン３６ａ〜３６ｅのいずれかでないと判断される場合には（Ｓ２３：Ｎｏ）、入力確定ではないということであるので、Ｓ３２の処理に移行し、Ｓ３２の表示を継続させる。
【００８４】
一方、Ｓ４０の処理において、新たなボタンデータは、ボタン３６ａ〜３６ｅのいずれかであると判断された場合には（Ｓ４０：Ｙｅｓ）、入力候補表示部１２に表示された文字又は記号を選択すると共に、入力確定するためにボタン３６ａ〜３６ｅが押下されたということであるので、入力確定処理であるＳ４１の処理に移行する（Ｓ４０）。
【００８５】
Ｓ４１の処理においては、新たなボタンデータがボタン３６ａであれば上部配置部１３ａに表示された文字又は記号を、新たなボタンデータがボタン３６ｂであれば、右部配置部１３ｂに表示された文字又は記号を、新たなボタンデータがボタン３６ｃであれば、下部配置部１３ｃに表示された文字又は記号を、新たなボタンデータがボタン３６ｄであれば、左部配置部１３ｄに表示された文字又は記号を、新たなボタンデータがボタン３６ｅであれば中央配置部１３ｅに表示された文字を選択し、選択した文字又は記号を左部配置部１３ｄの位置に表示させ、入力を確定すると共に、確定表示されなかった文字又は記号を消去し、入力カーソルを一つ進め、表示処理を終了する（Ｓ４１）。文字又は記号の入力を確定すると、確定された文字又は記号は入力確定表示部１４に表示され、変換（例えば漢字）可能な状態となる。
【００８６】
このように、表示装置１に文字又は記号を入力し、一括表示部１１に表示させる場合には、入力したい文字又は記号が割り当てられたボタン２１〜３０のいずれかを押下し、そのボタンに割り当てられた文字又は記号を入力候補表示部１２に表示させた後に、入力したい文字又は記号をボタン３６ａ〜３６ｅを用いて選択すればよいので、従来のように、入力したい文字又は記号を表示させるためにボタンを何度も押す操作を必要とせず、簡単かつ素早く、入力したい文字又は記号を検索できる。
【００８７】
次いで、図１０を参照して、表示装置１を用いて一括表示部１１に文字を入力し、表示させる手順について説明する。図１０は、一括表示部１１に平仮名入力を行うための説明図である。一括表示部１１には、すでに“今日は”の文字が入力決定され、入力決定表示部１５に表示されており、その文字の後に続けて、「蹴った」と入力する場合を説明する。
【００８８】
まず、文字・記号種別の設定が平仮名であるかを、文字・記号種別表示部１６の表示で確認する。図１０の場合は、文字・記号種別表示部１６の表示は平仮名入力であるので、文字・記号種別は平仮名に設定されている。次に、平仮名の清直音「か」を入力するため、ボタン２２（図１参照）を一回押下する。これにより、図１０（ａ）に示すように、入力候補表示部１２には平仮名「か」行の清直音である「か、き、く、け、こ」が表示される。そして、平仮名の清直音「け」を選択し、入力を確定させるため、ボタン３６ｅ（図１参照）を押下する。これにより、図１０（ｂ）に示すように、平仮名の清直音「け」の入力が確定する。
【００８９】
次に、平仮名の促音「っ」を入力するため、ボタン２４（図１参照）を連続で三回押下する。これにより、図１０（ｃ）に示すように、入力候補表示部１２には平仮名「た」行の促音である「っ」が表示される。そして、平仮名の促音「っ」を選択し、入力を確定させるため、ボタン３６ｅ（図１参照）を押下する。これにより、図１０（ｄ）に示すように、平仮名の促音「っ」の入力が確定する。
【００９０】
そして、平仮名の清直音「た」を入力するため、ボタン２４（図１参照）を一回押下する。これにより、図１０（ｅ）に示すように、入力候補表示部１２には平仮名「た」行の清直音である「た、ち、つ、て、と」が表示される。そして、平仮名の清直音「た」を選択し、入力を確定させるため、ボタン３６ｅ（図１参照）を押下する。これにより、図１０（ｆ）に示すように、平仮名の清直音「た」の入力が確定する。
【００９１】
次に、入力が確定され入力確定表示部１４に表示された「けった」の文字を漢字の「蹴った」に変換するため、変換機能を有するボタン３４を押下する。これにより、図１０（ｇ）に示すように、「けった」の変換候補である「蹴った」が入力確定表示部１４に表示される。最後に、この変換候補「蹴った」を入力決定するために、ボタン３６を押下し、図１０（ｈ）に示すように、「蹴った」を入力決定し、入力決定表示部１５に表示する。
【００９２】
以上、各実施の形態に基づき本発明を説明したが、本発明は上記形態に何ら限定されるものではなく、本発明の趣旨を逸脱しない範囲内で種々の変形改良が可能であることは容易に推察できるものである。
【００９３】
本実施の形態においては、例えば、図６（ｄ）に示すように、促音「っ」は、中央配置部１３ｅのみに表示したが、ボタンに割り当てられた仮名が一つだけである場合は、配置部１３ａ〜１３ｅの全てに表示してもよい。この場合は、入力確定する場合にボタン３６ａ〜３６ｅのいずれのボタンを押下してもよく、より簡単かつ素早く文字又は記号の入力を確定させることができる。
【図面の簡単な説明】
【００９４】
【図１】本実施形態における表示装置１の正面を示した図である。
【図２】表示装置の電気的構成を示したブロック図である。
【図３】入力ボタン部の各ボタンに割り当てられた文字又は記号を割り当てられた順番毎及び文字・記号種別毎に示した図である。
【図４】入力ボタン部の各ボタンが連続で押下された場合に、入力候補表示部に表示される文字又は記号を示した図である。
【図５】入力ボタン部の各ボタンに割り当てられた文字又は記号が入力候補表示部に表示された場合の一覧を示した図である。
【図６】割り込み処理を示すフローチャートである。
【図７】入力処理を示すフローチャートである。
【図８】文字・記号種別処理を示すフローチャートである。
【図９】表示処理を示すフローチャートである。
【図１０】一括表示部１１に平仮名入力を行うための説明図である。
【符号の説明】
【００９５】
１０                  表示ディスプレイ        （表示手段）
２１〜３０            ボタン                  （入力手段）
３６ａ〜３６ｅ        ボタン                  （選択手段）
４２                  ＲＯＭ                  （記憶手段）
Ｓ３２                表示処理                （配置手段、周囲配置手段、選定手段、順番配置手段）
Ｓ３６〜Ｓ３９        表示処理                （切換手段）
Ｓ４１                表示処理                （選択消去手段）
【図１】
2008071073.tif 000003
【図２】
2008071073.tif 000004
【図３】
2008071073.tif 000005
【図４】
2008071073.tif 000006
【図５】
2008071073.tif 000007
【図６】
2008071073.tif 000008
【図７】
2008071073.tif 000009
【図８】
2008071073.tif 000010
【図９】
2008071073.tif 000011
【図１０】
2008071073.tif 000012